(57)【要約】【課題】スマートフォン等の携帯端末装置に直接装飾用シールを貼付しないで、持ち主の自由な装飾を施すことが可能で、ストラップも取り付けることができる携帯端末装置を提供する。【解決手段】スマートフォン３９に直接装飾用シール３１、３５を貼付しないで、カバー１に装飾用シール３１、３５を貼付して、持ち主の自由な装飾を施すことが可能である。また、デザインの異なるカバーを複数個準備して、更に異なるデザインの装飾用シールを貼付して、カバーを替えることにより、種々のデザインを楽しむことが可能である。また、カバー１を用いれば、ストラップ３７も取り付けることができるようになり、便利である。【選択図】        図１
0003168090.tif 000002
【実用新案登録請求の範囲】
【請求項１】
携帯端末装置のカバーであって、携帯端末装置の少なくも背面の一部と両側面の一部を覆う本体と、前記本体に設けられ携帯端末装置に係合して本体を携帯端末装置に対し着脱自在に固定する係合部とから成ることを特徴とする携帯端末装置のカバー。
【請求項２】
請求項１に記載した携帯端末装置のカバーにおいて、本体の携帯端末装置の少なくも背面の一部を覆う部分の表面は平滑面であり、粘着剤によって貼付可能な装飾部材を貼り付ける被装飾部となっていることを特徴とする携帯端末装置のカバー。
【請求項３】
請求項１また２に記載した携帯端末装置のカバーにおいて、本体にはストラップを取り付けるための穴が形成されてことを特徴とする携帯端末装置のカバー。
【考案の詳細な説明】
【技術分野】
【０００１】
本考案は携帯端末装置のカバーに係り、特に自由な装飾が可能な携帯端末装置のカバーに関するものである。
【背景技術】
【０００２】
特許文献１に示すような携帯電話機に装飾用シールを貼付することが広く行われている。
また、近年、スマートフォンと呼ばれる携帯端末装置が広く浸透しつつあり、このスマートフォンは従来の携帯電話機の通信機能に加えて、ネットワーク機能等を備えている。このスマートフォンはタッチパネルによる操作がメインとなるため、表面の殆どの面積を液晶画面等から成る表示部が占めている。
【先行技術文献】
【特許文献】
【０００３】
【特許文献１】特開２００３−１５８４６６
【考案の概要】
【考案が解決しようとする課題】
【０００４】
しかしながら、一旦貼付した装飾用シールは容易に剥がすことはできず、無理に剥がすと粘着剤がこびり付いたままとなり、携帯電話機が汚くなってしまうという不都合がある。
また、スマートフォンは装飾用シールを貼付できる部分が殆ど背面に限られており、装飾を施す者の妙味が乏しくなってしまうという問題がある。
更に、スマートフォンはストラップを取り付ける穴がない物が一般的であり、ストラップを取り付けたいという要望も多い。
【０００５】
本考案は上記従来の問題点に着目して為されたものであり、スマートフォン等の携帯端末装置に直接装飾用シールを貼付しないで、持ち主の自由な装飾を施すことが可能で、ストラップも取り付けることができる携帯端末装置のカバーの提供を、その目的とする。
【課題を解決するための手段】
【０００６】
本考案は上記課題を解決するためになされたものであり、請求項１の考案は、携帯端末装置のカバーであって、携帯端末装置の少なくも背面の一部と両側面の一部を覆う本体と、前記本体に設けられ携帯端末装置に係合して本体を携帯端末装置に対し着脱自在に固定する係合部とから成ることを特徴とする携帯端末装置のカバーである。
【０００７】
請求項２の考案は、請求項１に記載した携帯端末装置のカバーにおいて、本体の携帯端末装置の少なくも背面の一部を覆う部分の表面は平滑面であり、粘着剤によって貼付可能な装飾部材を貼り付ける被装飾部となっていることを特徴とする携帯端末装置のカバーである。
【０００８】
請求項３の考案は、請求項１また２に記載した携帯端末装置のカバーにおいて、本体にはストラップを取り付けるための穴が形成されてことを特徴とする携帯端末装置のカバーである。
【考案の効果】
【０００９】
本考案の携帯端末装置のカバーによれば、スマートフォン等の携帯端末装置に直接装飾用シールを貼付しないで、持ち主の自由な装飾を施すことが可能となる。また携帯端末装置がストラップ取付用の穴を有していなくても、ストラップも取り付けることが可能となる。
【図面の簡単な説明】
【００１０】
【図１】本考案の実施の形態に係る携帯端末装置のカバー、スマートフォンの斜視図である。
【図２】図１の携帯端末装置のカバーを装着したスマートフォンを裏面側から見た斜視図である。
【図３】図１の携帯端末装置のカバーを装着したスマートフォンを表面側から見た斜視図である。
【考案を実施するための形態】
【００１１】
本考案の実施の形態に係る携帯端末装置のカバー１を図面にしたがって説明する。
携帯端末装置のカバー１はポリカーボネイト等のプラスチックによって構成され、多少の弾性変形が可能である。また、カバー１は例えば金色に塗装されていて、高い装飾性を有している。
符号３は本体を示し、この本体３は背板５、背板５の左右両端部に一体に設けられた左右の側板７、９、背板５の上下端部にそれぞれ一体に設けられた天板１１、底板１３によって構成されている。従って、本体３は、その前面部が開放さている。また天板１１、底板１３には大きな切欠き部１５、１７が形成されている。
【００１２】
背板５の周縁部には凸条６が形成され、この凸条６は枠状を為している。背板５の凸条６に囲まれた領域は被装飾部８となっており、この被装飾部８の表面は平滑面となっている。被装飾部８は後述するようにスマートフォン３９の背面の一部を覆う。
また、左右の側板７、９の縁部には係合部としての凸条１９、２１が形成されており、この凸条１９、２１は互いに対向する方向(内側を向く方向)へ突出している。
背板５の上端部には２つの円が結合した形状の穴２３が形成されている。
また、側板９の上端部には、膨出部２４が形成され、この膨出部２４にストラップ取付用の一対の穴２５、２７が形成されている。また側板７の上端部には、上下方向へ長い長穴２９が形成されている。
【００１３】
符号３１は装飾部材としての平板状の装飾用シールを示し、この装飾用シール３１は被装飾部８と同じ形状、サイズに形成されていて、装飾用シール３１の表面には斜め格子状の模様が施されている。また、装飾用シール３１には、本体３の穴２３に対応して、穴２３に対応する形状の穴３３が形成されている。装飾用シール３１の裏面には粘着剤が塗布されており、この裏面は粘着面となっていて、剥離シート（図示せず）によって覆われている。
符号３５は装飾部材としての装飾用シールを示し、この装飾用シール３５はハート形を為している。この装飾用シール３５の裏面には粘着剤が塗布されており、この裏面は粘着面となっていて、剥離シート（図示せず）によって覆われている。
符号３７は携帯電話用のストラップを示す。
【００１４】
次に、携帯端末装置のカバー１を、携帯端末装置としてのスマートフォン３９に装着して使用する方法について説明する。
ストラップ３７を穴２５、２７に通して本体３に取り付ける。そして、背板５の凸条６に囲まれた領域に平板状の装飾用シール３１を貼付する。更に、装飾用シール３１の表面にハート形の装飾用シール３５を貼付する。
【００１５】
次に、本体３をスマートフォン３９の背面側から被せるようにして装着する。この際、左右の側板７、９は弾性変形して左右方向へ開く。そして、凸条１９、２１がスマートフォン３９の前面を越えると左右の側板７、９が元の位置に戻り、凸条１９、２１はスマートフォン３９の前面の縁部に係合し、カバー１がスマートフォン３９に固定される。
【００１６】
カバー１がスマートフォン３９に装着した状態では、本体３がスマートフォン３９の少なくも背面の一部と両側面の一部を覆う。またスマートフォン３９の表示部４１はカバー１の前面開口から完全に露出し、上面の操作ボタン４３は切欠き部１５から露出する。更に、側面の操作ボタン４５は長穴２９から露出し、また裏面のカメラレンズ４７、発光部４９は穴２３と装飾用シール３１の穴３３から露出する。
従って、スマートフォン３９に装飾用シール３１を貼付したカバー１を装着しても、スマートフォン３９の操作に支障をきたすことはない。
金色に塗装されたカバー１はスマートフォン３９の背面のみならず、左右の側面、上下面の一部を覆うことになり、高い装飾性を発揮することになる。よって、スマートフォン３９に装飾を施す者は十分な妙味を得ることができる。
【００１７】
カバー１をスマートフォン３９から取り外す場合は、カバー１を左右の角部に手を掛けて少し力を入れて引くようする。これにより、左右の側板７、９が左右に開くように弾性変形して、カバー１をスマートフォン３９から取り外すことができる。このようにカバー１はスマートフォン３９に対し着脱自在である。
よって、装飾用シール３１、３５をスマートフォン３９に直接貼付しないで、カバー１に装飾用シール３１、３５を貼付して、持ち主の自由な装飾を施すことが可能である。
【００１８】
また、デザインの異なるカバーを複数個準備したり、異なるデザインの装飾用シールを貼付したカバーを複数個準備したりして、これらを適宜選択してスマートフォン３９に装着すれば、種々のデザインを楽しむことが可能である。すなわち、デザインの異なるカバーを交換すれば、種々のデザインを楽しむことができるようになる。
また、カバー１を用いれば、ストラップ３７も取り付けることができるようになり、便利である。
【００１９】
以上、本考案の実施の形態について詳述してきたが、具体的構成は、この実施の形態に限られるものではなく、本考案の要旨を逸脱しない範囲における設計の変更などがあっても考案に含まれる。
例えば、カバーをシリコーン等の他のプラスチックによって構成してもよい。
また、カバーの色彩、デザインは上記実施の形態で示したものに限らず、他の色、デザインのものとしても良いのは勿論である。
平板状の装飾用シールもデザインは上記実施の形態で示したものに限らず、他の色彩、デザインのものとしても良いのは勿論であり、ハート形の装飾用シールもアルファベットをモチーフとした形状、リボン形等、自由な色彩、デザインとしてもよい。
【産業上の利用可能性】
【００２０】
本考案の携帯端末装置のカバーは、携帯端末装置のカバー製造業に利用可能である。
【符号の説明】
【００２１】
１…携帯端末装置のカバー      ３…本体      ５…背板
６…凸条      ７…左側板      ８…被装飾部
９…右側板      １１…天板        １３…底板
１５…切欠き部      １７…切欠き部      １９…凸条
２１…凸条      ２３…穴        ２４…膨出部
２５…ストラップ取付用の穴        ２７…ストラップ取付用の穴
２９…長穴      ３１…平板状の装飾用シール        ３３…穴
３５…ハート形の装飾用シール      ３７…携帯電話用のストラップ
３９…スマートフォン      ４５…操作ボタン        ４７…カメラレンズ
４９…発光部
【図１】
0003168090.tif 000003
【図２】
0003168090.tif 000004
【図３】
0003168090.tif 000005